(57)【要約】【課題】開閉両状態で払拭体を把持して清掃可能な払拭体把持具を提供する。【解決手段】本発明の開閉両用型払拭体把持具１は、ハンドル部受凸部２３と把持部受凸部２２、２２を有するジョイント部２を配置し、払拭体９０を装着する保持部１１と基部透孔１３を形成した基部１２からなる把持部１０、１０を設け、基部透孔１３を把持部受凸部２２に回動可能に嵌合して把持部１０、１０をジョイント部２に連結し、回動部透孔６３をハンドル部受凸部２３に嵌合してハンドル部６０をジョイント部２に連結し、把持部用弾性凸部３２、３２を突設した把持部用弾性体３０をジョイント部２に配置し、基部周面１９、１９の夫々に開脚用凹部１５と閉脚用凹部１４を形成し、開脚用凹部１５が把持部用弾性凸部３２と係合して把持部１０、１０が略水平ロック状態になり、閉脚用凹部１４が把持部用弾性凸部３２と係合して把持部１０、１０が略垂下ロック状態になる。【選択図】図２
2015066360.tif 000002
【特許請求の範囲】
【請求項１】
ハンドル部受凸部を有する頭カバー部とその左右下方位置に把持部受凸部を夫々有する一対の脇カバー部から構成されたジョイント部を配置し、払拭体を装着する保持部の根元側に形成された基部に基部透孔を形成した左右一対の把持部を設けて、前記基部透孔を前記把持部受凸部に回動可能に嵌合して一対の前記把持部を前記ジョイント部に連結し、回動部透孔を有する回動部からハンドル軸部を延設したハンドル部を設けて、前記回動部透孔を前記ハンドル部受凸部に回動可能に嵌合して前記ハンドル部を前記ジョイント部に連結し、左右の前記把持部受凸部の中間位置に把持部用弾性体を前記ジョイント部に配置して、前記把持部用弾性体の左右端部から前記把持部受凸部に向かって一対の把持部用弾性凸部を突設し、前記一対の把持部の基部が相互に対向する基部周面の夫々に開脚用凹部と閉脚用凹部を形成し、前記把持部を前記把持部受凸部の周りに回動させることにより、前記開脚用凹部を前記把持部用弾性凸部と弾性的に係合させたときに左右の前記把持部が左右に突出するように略水平ロック状態が実現され、前記閉脚用凹部を前記把持部用弾性凸部と係合させたときに左右の前記把持部が下方に垂下するように略垂下ロック状態が実現されることを特徴とする開閉両用型払拭体把持具。
【請求項２】
前記把持部用弾性体を載置する把持部用弾性体台部を前記ジョイント部に設け、前記把持部用弾性体台部の左右の台部端面が垂下方向に並行配置され、左右の前記把持部を回動して垂下させるときに、前記基部の基部底面が前記台部端面に当接して回動を阻止され、垂下位置が規制される請求項１に記載の開閉両用型払拭体把持具。
【請求項３】
前記把持部用弾性体台部の上方に上方台部が配置され、前記上方台部の左右両側にロック面を有する角受部が形成され、また左右の前記把持部の前記基部周面の上端位置にロック面を有する開脚ロック用角部が形成され、左右の前記把持部を回動して左右に略水平に突出させるときに、前記開脚ロック用角部が前記角受部に当接し、前記ロック面が前記ロック面に当接して回動を阻止され、略水平位置が規制される請求項２に記載の開閉両用型払拭体把持具。
【請求項４】
前記上方台部の上端には段部を介して上端面が形成され、前記ハンドル部を構成する前記回動部の回動部周面は凹凸の無い湾曲面に形成され、前記ハンドル部の回動部には、前記回動部周面の左右に連続する回動部側面が形成され、前記ハンドル部を前記ハンドル部受凸部の周りに回動させて略水平状態になるまで回動させたとき、前記回動部側面が前記上端面に当接して回動を阻止される請求項３に記載の開閉両用型払拭体把持具。
【請求項５】
前記上方台部にハンドル部用弾性体を載置し、前記ハンドル部用弾性体にハンドル部用弾性凸部を突設し、前記ハンドル部を構成する前記回動部の回動部周面に複数個の回動部周面凹部を形成し、前記ハンドル部を前記ハンドル部受凸部の周りに回動させたときに、前記ハンドル部用弾性凸部が前記回動部周面凹部に係合して前記ハンドル部が解除可能にロックされる請求項３に記載の開閉両用型払拭体把持具。
【請求項６】
前記回動部周面凹部が、前記ハンドル部を略直立させる直立凹部と、前記直立凹部の左右位置に１個以上の傾斜凹部と、前記傾斜凹部の左右位置に前記ハンドル部を略水平状態にロックする水平傾斜凹部からなる請求項５に記載の開閉両用型払拭体把持具。
【請求項７】
前記ハンドル部の回動部には、前記回動部周面の左右に連続する回動部側面が形成され、
前記上方台部の上端は段部を介して上端面が形成され、前記ハンドル部を前記ハンドル部受凸部の周りに回動させて前記回動部の水平傾斜凹部が前記ハンドル部用弾性凸部に係合したときに、前記回動部側面が前記上端面に当接して回動を阻止される請求項６に記載の開閉両用型払拭体把持具。
【請求項８】
前記ジョイント部は後カバーと前カバーから構成され、前記後カバーには、前記頭カバー部、前記ハンドル部受凸部、左右の前記脇カバー部、前記把持部受凸部、前記把持部用弾性体、前記把持部用弾性体台部、前記上方台部及び／又は前記ハンドル部用弾性体が設けられ、左右の把持部とハンドル部を前記後カバー部に連結して、前記前カバーを前記後カバーに嵌合させることにより開閉両用型払拭体把持具を構成する請求項１〜７のいずれかに記載の開閉両用型払拭体把持具。
【請求項９】
前記前カバーは、ハンドル部受凸部を有する頭カバー部とその左右下方位置に把持部受凸部を夫々有する一対の脇カバー部から構成されており、前記前カバーの前記ハンドル部受凸部と前記把持部受凸部を前記後カバーの前記ハンドル部受凸部と前記把持部受凸部に夫々突き合わせて、前記前カバーを前記後カバーに嵌合させる請求項８に記載の開閉両用型払拭体把持具。
【請求項１０】
前記前カバーに、空洞であるハンドル部用弾性体挿入部を切欠いた上方台部押え部を設け、前記後カバーの前記ハンドル部用弾性体を前記ハンドル部用弾性体挿入部に挿着して前記前カバーを前記後カバーに嵌合させる請求項９に記載の開閉両用型払拭体把持具。
【請求項１１】
請求項１〜１０のいずれかの開閉両用型払拭体把持具を用意し、前記開閉両用型払拭体把持具の前記把持部を前記払拭体の袋状部に挿入して前記開閉両用型払拭体把持具を前記払拭体に装着したことを特徴とする清掃用具。
【発明の詳細な説明】
【技術分野】
【０００１】
本発明は、床面・物体面・壁面などを清掃するために払拭体把持具を払拭体に挿脱自在に装着した清掃用具に関し、更に詳細には払拭体に２本の袋状部を形成し、その袋状部に開閉可能な払拭体把持具を挿入して清掃用具とする払拭体把持具及びそれを使用した清掃用具に関する。
【背景技術】
【０００２】
従来から、この種の清掃用具としてハンディタイプや長尺ハンドルタイプのものが広く利用されている。特に、長尺ハンドルタイプの清掃用具として、特開２０１１−２５０９８０号公報（特許文献１）の「払拭体挿入部回動式掃除具」（払拭体把持具とも称する）では、押ボタンを押して水平状態にある２本の把持具のロック状態を解除し、左右２本の把持部が自重で垂下するまで回動させ、垂下状態で払拭体の左右の袋状部に２本の把持部を夫々挿入させ、その後手動操作で垂下状態にある２本の把持具を逆回動させて水平状態に復帰させ、水平状態に復帰すると機械的作用でロックされる機構が開示されている。
【０００３】
図１３は特許文献１に示された図面で、左右の把持部を水平状態と垂下状態に切り換える説明図である。（１３Ａ）は左右把持部の水平ロック状態を示した要部斜視図であり、（１３Ｂ）はロック解除された左右把持部の垂下状態を示した要部正面図である。
（１３Ａ）において、パイプ挿入部１２１の揺動軸部１０９は雌ねじ部１５２により軸受部１５４に揺動自在に取着されている。左右の把持部に相当する中空体１１２、１１３は、中央の連結部材１２０にある保持部１１６、１１７の連結端１１４、１１５に夫々連結され、ロックボタン１１８を押さない限り、中空体１１２、１１３は水平状態を維持して左右に突出している。この水平状態で払拭体を装着していると、通常の床掃きや物体面の清掃が可能になる。
（１３Ｂ）の垂下状態にするには、ロックボタン１１８を押圧するだけで良い。ロックボタン１１８を押圧すると、中空体１１２、１１３の水平ロックが外れる。その結果、中空体１１２、１１３は自重により回動軸穴１１９、１１９の周りに回動可能になり、水平状態から自重により回動して垂下状態へと変化する。垂下状態では、中空体１１２、１１３は全くロックされておらず、中空体１１２、１１３はブラブラした状態で垂下しているだけである。
【０００４】
また、ハンディタイプの清掃用具として、特開２００１−４６２９２号公報（特許文献２）の「モップ及び該モップに用いられるハンドル」が有り、モップに用いられるハンドルは払拭体把持部とも称する。
（１４Ａ）は平面図を示し、（１４Ｂ）は半分に折り畳む途中の折畳正面図である。（１４Ａ）及び（１４Ｂ）の両図に示されるように、ハンドル１の下部に装着部２０２が連結され、装着部２０２の左右の装着片２０２ａ、２０２ａは貫通溝２１４を介して折畳可能に形成され、装着片２０２ａ、２０２ａを保持部２０３の袋部２０３ａ、２０３ａに夫々挿入してモップＡが完成される。保持部２０３の下面及び外周縁２０６には多数のひも状体２０４（パイルとも称する）が植設され、モップＡを矢印Ｌａ、Ｌｂ方向に移動させることにより、前記ひも状体２０４が塵埃吸着部２０５の機能を発現する。また、ハンドル２０１を袋部２０３ａ、２０３ａから脱離させるときには、（１４Ｂ）に示すように、装着部２０２を貫通溝２１４を介して折り畳み、装着片２０２ａ、２０２ａを袋部２０３ａ、２０３ａから引き抜くだけでよい。
【先行技術文献】
【特許文献】
【０００５】
【特許文献１】特開２０１１−２５０９８０号公報
【特許文献２】特開２００１−０４６２９２号公報
【発明の概要】
【発明が解決しようとする課題】
【０００６】
しかし、特許文献１の払拭体把持具は次のような課題を有している。（１３Ａ）で示されるように、中空体１１２、１１３は左右に突出した水平状態でロックされているため、中空体１１２、１１３に払拭体を組み合わせておけば、直ちに床面や物体面や壁面を清掃することができる。しかし、ロックボタン１１８を押圧して（１３Ｂ）の垂下状態にすると、中空体１１２、１１３は自重で下方に向いてはいるが、この垂下状態は全くロックされておらず、中空体１１２、１１３はブラブラした状態でただ下方に垂下しているだけである。従って、この垂下状態では、床面や物体面や壁面を清掃することはできない。即ち、この垂下状態は払拭体を脱着するためだけの機能しかない。
【０００７】
また、特許文献２の払拭体把持具は次のような課題を有している。（１４Ａ）から分かるように、ハンドル２０１と装着部２０２からなる払拭体把持部は水平状態に配置され、この水平状態の払拭体把持部にひも状体２０４を組み合わせたモップＡとして清掃可能になる構成である。即ち、水平状態の払拭体把持部により床面や物体面の清掃が可能である。他方、（１４Ｂ）に示されるように、装着部２０２を構成する装着片２０２ａ、２０２ａを貫通溝２１４で折り畳んだ状態は、多数のひも状体２０４を有する払拭体を払拭体把持部に装着するとき、又は払拭体を払拭体把持部から分離するときにのみ有効になる状態である。即ち、折り畳み状態では清掃は不可能であり、特許文献１と同様な課題を有している。
【０００８】
従って、本発明に係る開閉両用型払拭体把持具は、左右の把持部を水平状態に配置した開状態で左右の把持部はロックされ、また左右の把持部を垂下状態に配置した閉状態でも左右の把持部はロックされるから、開状態でも閉状態でも払拭体を装着して床面や物体面を清掃できる開閉両用型の払拭体把持具を提供することを目的とする。換言すれば、開状態では通常の床掃き清掃具として機能し、閉状態では通常のハンディ清掃具として機能することができる両用型の払拭体把持具及び清掃用具を提供することを目的とする。
【課題を解決するための手段】
【０００９】
本発明は、上記課題を解決するために提案されたものであって、本発明の第１の形態は、ハンドル部受凸部を有する頭カバー部とその左右下方位置に把持部受凸部を夫々有する一対の脇カバー部から構成されたジョイント部を配置し、払拭体を装着する保持部の根元側に形成された基部に基部透孔を形成した左右一対の把持部を設けて、前記基部透孔を前記把持部受凸部に回動可能に嵌合して一対の前記把持部を前記ジョイント部に連結し、回動部透孔を有する回動部からハンドル軸部を延設したハンドル部を設けて、前記回動部透孔を前記ハンドル部受凸部に回動可能に嵌合して前記ハンドル部を前記ジョイント部に連結し、左右の前記把持部受凸部の中間位置に把持部用弾性体を前記ジョイント部に配置して、前記把持部用弾性体の左右端部から前記把持部受凸部に向かって一対の把持部用弾性凸部を突設し、前記一対の把持部の基部が相互に対向する基部周面の夫々に開脚用凹部と閉脚用凹部を形成し、前記把持部を前記把持部受凸部の周りに回動させることにより、前記開脚用凹部を前記把持部用弾性凸部と弾性的に係合させたときに左右の前記把持部が左右に突出するように略水平ロック状態が実現され、前記閉脚用凹部を前記把持部用弾性凸部と係合させたときに左右の前記把持部が下方に垂下するように略垂下ロック状態が実現される開閉両用型払拭体把持具である。
【００１０】
本発明の第２の形態は、前記把持部用弾性体を載置する把持部用弾性体台部を前記ジョイント部に設け、前記把持部用弾性体台部の左右の台部端面が垂下方向に並行配置され、左右の前記把持部を回動して垂下させるときに、前記基部の基部底面が前記台部端面に当接して回動を阻止され、垂下位置が規制される開閉両用型払拭体把持具である。
【００１１】
本発明の第３の形態は、前記把持部用弾性体台部の上方に上方台部が配置され、前記上方台部の左右両側にロック面を有する角受部が形成され、また左右の前記把持部の前記基部周面の上端位置にロック面を有する開脚ロック用角部が形成され、左右の前記把持部を回動して左右に略水平に突出させるときに、前記開脚ロック用角部が前記角受部に当接し、前記ロック面が前記ロック面に当接して回動を阻止され、略水平位置が規制される開閉両用型払拭体把持具である。
【００１２】
本発明の第４の形態は、前記上方台部の上端には段部を介して上端面が形成され、前記ハンドル部を構成する前記回動部の回動部周面は凹凸の無い湾曲面に形成され、前記ハンドル部の回動部には、前記回動部周面の左右に連続する回動部側面が形成され、前記ハンドル部を前記ハンドル部受凸部の周りに回動させて略水平状態になるまで回動させたとき、前記回動部側面が前記上端面に当接して回動を阻止される開閉両用型払拭体把持具である。
【００１３】
本発明の第５の形態は、前記上方台部にハンドル部用弾性体を載置し、前記ハンドル部用弾性体にハンドル部用弾性凸部を突設し、前記ハンドル部を構成する前記回動部の回動部周面に複数個の回動部周面凹部を形成し、前記ハンドル部を前記ハンドル部受凸部の周りに回動させたときに、前記ハンドル部用弾性凸部が前記回動部周面凹部に係合して前記ハンドル部が解除可能にロックされる開閉両用型払拭体把持具である。
【００１４】
本発明の第６の形態は、前記回動部周面凹部が、前記ハンドル部を略直立させる直立凹部と、前記直立凹部の左右位置に１個以上の傾斜凹部と、前記傾斜凹部の左右位置に前記ハンドル部を略水平状態にロックする水平傾斜凹部からなる開閉両用型払拭体把持具である。
【００１５】
本発明の第７の形態は、前記ハンドル部の回動部には、前記回動部周面の左右に連続する回動部側面が形成され、前記上方台部の上端は段部を介して上端面が形成され、前記ハンドル部を前記ハンドル部受凸部の周りに回動させて前記回動部の水平傾斜凹部が前記ハンドル部用弾性凸部に係合したときに、前記回動部側面が前記上端面に当接して回動を阻止される開閉両用型払拭体把持具である。
【００１６】
本発明の第８の形態は、前記ジョイント部は後カバーと前カバーから構成され、前記後カバーには、前記頭カバー部、前記ハンドル部受凸部、左右の前記脇カバー部、前記把持部受凸部、前記把持部用弾性体、前記把持部用弾性体台部、前記上方台部及び／又は前記ハンドル部用弾性体が設けられ、左右の把持部とハンドル部を前記後カバー部に連結して、前記前カバーを前記後カバーに嵌合させることにより開閉両用型払拭体把持具を構成する開閉両用型払拭体把持具である。
【００１７】
本発明の第９の形態は、前記前カバーは、ハンドル部受凸部を有する頭カバー部とその左右下方位置に把持部受凸部を夫々有する一対の脇カバー部から構成されており、前記前カバーの前記ハンドル部受凸部と前記把持部受凸部を前記後カバーの前記ハンドル部受凸部と前記把持部受凸部に夫々突き合わせて、前記前カバーを前記後カバーに嵌合させる開閉両用型払拭体把持具である。
【００１８】
本発明の第１０の形態は、前記前カバーに、空洞であるハンドル部用弾性体挿入部を切欠いた上方台部押え部を設け、前記後カバーの前記ハンドル部用弾性体を前記ハンドル部用弾性体挿入部に挿着して前記前カバーを前記後カバーに嵌合させる開閉両用型払拭体把持具である。
【００１９】
本発明の第１１の形態は、第1形態〜第１０形態のいずれかの開閉両用型払拭体把持具を用意し、前記開閉両用型払拭体把持具の前記把持部を前記払拭体の袋状部に挿入して前記開閉両用型払拭体把持具を前記払拭体に装着した清掃用具である。
【発明の効果】
【００２０】
本発明の第１の形態によれば、ハンドル部受凸部を有する頭カバー部とその左右下方位置に把持部受凸部を夫々有する一対の脇カバー部から構成されたジョイント部を配置しているから、ジョイント部の構成が簡素になり、ジョイント部を樹脂により容易に一体形成できる。しかも、ハンドル部受凸部と２個の把持部受凸部を三角状に配置するから、ハンドル部と２本の把持部の組立構造が極めて簡単になる。
また、払拭体を装着する保持部の根元側に形成された基部に基部透孔を形成した左右一対の把持部を設けて、前記基部透孔を前記把持部受凸部に回動可能に嵌合して一対の前記把持部を前記ジョイント部に連結するから、左右の把持部を回動自在に対称的に取り付けることができる。また、基部を大きく形成して基部強度を簡単に増大できる。
更に、回動部透孔を有する回動部からハンドル軸部を延設したハンドル部を設けて、前記回動部透孔を前記ハンドル部受凸部に回動可能に嵌合して前記ハンドル部を前記ジョイント部に連結するから、ハンドル部をジョイント部に回動可能に簡単に取着でき、しかも回動部を大きく形成して回動部分の強度を増大することができる。
また、左右の前記把持部受凸部の中間位置に把持部用弾性体を前記ジョイント部に配置して、前記把持部用弾性体の左右端部から前記把持部受凸部に向かって一対の把持部用弾性凸部を突設しており、把持部用弾性体は全体的に弾性変形が可能で、左右に存する把持部用弾性凸部を前記把持部の基部で押圧することにより、前記把持部用弾性体の弾性変形による弾性反力により基部が逆方向に押圧され、把持部用弾性凸部と基部との押圧係合力を増大できる。
更に、前記一対の把持部の基部が相互に対向する基部周面の夫々に開脚用凹部と閉脚用凹部を形成しているから、前記把持部用弾性凸部が開脚用凹部や閉脚用凹部に無理嵌め的に係合させることにより、左右の把持部を開脚位置で固定したり、閉脚位置で固定することが選択的に可能になる。
従って、前記把持部を前記把持部受凸部の周りに回動させることにより、前記開脚用凹部を前記把持部用弾性凸部と弾性的に係合させたときには、左右の前記把持部を左右に突出させる位置で略水平ロック状態を実現できる。しかも、回動位置を変更して前記閉脚用凹部を前記把持部用弾性凸部と係合させたときには、左右の前記把持部を下方に垂下させた略垂下ロック状態を実現できる。この様に、第１形態の開閉両用型払拭体把持具は、開状態である略水平ロック状態と閉状態である略垂下ロック状態の２状態を選択することが可能であり、払拭体を左右の把持部に装着することによって、把持部の開状態清掃と閉状態清掃という２状態を選択して被清掃物に応じた好適な状態での清掃を実現できる。
【００２１】
本発明の第２の形態によれば、前記把持部用弾性体を載置する把持部用弾性体台部を前記ジョイント部に設け、前記把持部用弾性体台部の左右の台部端面が垂下方向に並行配置されるから、前記把持部用弾性体台部の厚みを調整すれば把持部用弾性体の高さ位置を調整でき、前記把持部用弾性凸部と開脚用凹部や閉脚用凹部との係合高さ位置を好適に設計できる。
また、左右の前記把持部を回動して垂下させるときに、前記基部の基部底面が前記台部端面に当接して回動を阻止され、垂下位置を規制でき、２本の把持部が並行して下方に垂下するときの並行間隔や並行配置状態を好適に調整することができる。
【００２２】
本発明の第３の形態によれば、前記把持部用弾性体台部の上方に上方台部が配置されるから、上方台部の厚みを調整することにより、後述するハンドル部用弾性体を前記上方台部に載置したときに、ハンドル部用弾性体の設置高さを調整でき、ハンドル部との係合具合を適切に調整できる。
前記上方台部の左右両側にロック面を有する角受部が形成されるから、把持具を略水平状態に開脚したときに前記角受部により開脚位置を規制でき、それ以上の開脚を防止することができる。
また左右の前記把持部の前記基部周面の上端位置にロック面を有する開脚ロック用角部が形成されるから、この開脚ロック用角部が前述した角受部と係合して、略水平配置以上の把持部の開脚を規制することが可能になる。
以上を纏めると、左右の前記把持部を回動して左右に略水平に突出させるときに、前記開脚ロック用角部が前記角受部に当接し、前記ロック面が前記ロック面に当接して回動を阻止され、略水平位置を規制することができる。
【００２３】
本発明の第４の形態によれば、上方台部の上端には段部を介して上端面が形成され、前記ハンドル部を構成する前記回動部の回動部周面は凹凸の無い湾曲面に形成されているから、ハンドル部の回動による傾斜途中では、ハンドル部をロックできず、ハンドル部を左右の略水平位置まで自由に回動させることができる。
また、前記ハンドル部の回動部には、前記回動部周面の左右に連続する回動部側面が形成され、前記ハンドル部を前記ハンドル部受凸部の周りに回動させて略水平状態になるまで回動させたとき、前記回動部側面が前記上端面に当接して回動を阻止されるように構成しているから、前記略水平位置よりも更にハンドル部を回動できず、略水平位置でハンドル部を確実に停止させることができる。
本形態では、前記上方台部に後述するハンドル部用弾性体が載置されていないから、ハンドル部を任意角度で傾斜させてロックする機能は有していない。従って、ハンドル部の傾斜ロック機能が無い分だけ価格の低減に寄与できる。
【００２４】
本発明の第５の形態によれば、前記上方台部にハンドル部用弾性体を載置するから、上方台部の厚みを調整することによって、ハンドル部用弾性体の配置高さを適切に調整できる。またハンドル部用弾性体は弾性変形可能に形成されており、弾性を生じる構造は適宜な形状に設計することができる。
また、前記ハンドル部用弾性体にハンドル部用弾性凸部を突設し、前記ハンドル部を構成する前記回動部の回動部周面に複数個の回動部周面凹部を形成するから、ハンドル部用弾性凸部が複数個の回動部周面凹部と係合できるから、多段階での係合が可能になり、ハンドル部を複数の回動角度で傾斜固定させることができる。
以上を纏めると、前記ハンドル部を前記ハンドル部受凸部の周りに回動させると、前記ハンドル部用弾性凸部が複数の前記回動部周面凹部に複数段に無理嵌め的に係合させることができ、ハンドル部の傾斜角度を複数段に調整できる。傾斜角度を変更するには、ハンドル部を無理に回動させると、現在係合している回動部周面凹部と外れ、次の回動部周面凹部と係合させればよい。解除可能にロックするとは、以上の状況の事を云う。
【００２５】
本発明の第６の形態によれば、前記回動部周面凹部を、前記ハンドル部を略直立させる直立凹部と、前記直立凹部の左右位置に１個以上の傾斜凹部と、前記傾斜凹部の左右位置に前記ハンドル部を略水平状態にロックする水平傾斜凹部から構成するので、ハンドル部を直立配置させるだけでなく、傾斜配置させたり、略水平配置させることが可能になり、清掃用具としての機能性を向上させることができる。
【００２６】
本発明の第７の形態によれば、前記ハンドル部の回動部には、前記回動部周面の左右に連続する回動部側面が形成され、前記上方台部の上端は段部を介して上端面が形成されるから、前記ハンドル部を前記ハンドル部受凸部の周りに回動させて前記回動部の水平傾斜凹部が前記ハンドル部用弾性凸部に係合したときに、ハンドル部が水平傾斜される。しかも前記回動部側面が前記上端面に当接して回動が阻止されるから、ハンドル部を水平傾斜以上に更に傾斜させることができないように設計される。
【００２７】
本発明の第８の形態によれば、前記ジョイント部を後カバーと前カバーの２部材から構成し、前記前カバーを前記後カバーに嵌合させてジョイント部を一体に構成するから、ジョイント部の構成が極めて簡単になる。
また、前記後カバーに、前述した頭カバー部、ハンドル部受凸部、左右の脇カバー部、把持部受凸部、把持部用弾性体、把持部用弾性体台部、上方台部及び／又はハンドル部用弾性体を一体に設けるから、樹脂成形によりこれらの各部品を後カバーに一体成形することができ、部材構成を単純化できる利点を有する。
上方台部及び／又はハンドル部用弾性体と記載しており、この表現により、上方台部だけを設ける場合、上方台部とハンドル部用弾性体の両者を設ける場合、更にハンドル部用弾性体だけを設ける場合の３ケースが包含されている。
上方台部だけを設ける場合には、ハンドル部を回動させても傾斜状態でロックする機能は有さず、ハンドル部を自由に回動させるだけである。上方台部とハンドル部用弾性体の両者を設ける場合には、ハンドル部を回動して傾斜させたときに傾斜状態でロックする機能を有している。ハンドル部用弾性体だけを設ける場合には、ハンドル部用弾性体でハンドル部の傾斜ロックを行い、しかもハンドル部用弾性体によりハンドル部を略水平状態以上に回動させる    ことを阻止する機能を有する。
【００２８】
本発明の第９の形態によれば、前記前カバーに、ハンドル部受凸部を有する頭カバー部とその左右下方位置に把持部受凸部を夫々有する一対の脇カバー部を一体に構成するから、樹脂成形によりこれらの各部品を後カバーに一体成形することができ、構成が極めて簡単になる。
前記前カバーの前記ハンドル部受凸部と前記把持部受凸部を前記後カバーの前記ハンドル部受凸部と前記把持部受凸部に夫々突き合わせて、前記前カバーを前記後カバーに嵌合させてジョイント部を構成するから、ジョイント部の構成が極めて簡単になる。
しかも、嵌合する前に、後ハンドル部と左右の把持部を後カバーに取着し、取着した後に前カバーを後カバーに嵌合するから、その嵌合後にネジ等で一体化すれば、ジョイント部の完成により開閉両用型払拭体把持具を完成でき、開閉両用型払拭体把持具の組み立てが簡単に行える利点を有する。
【００２９】
本発明の第１０の形態によれば、前記前カバーに、空洞であるハンドル部用弾性体挿入部を切欠いた上方台部押え部を設け、前記後カバーの前記ハンドル部用弾性体を前記ハンドル部用弾性体挿入部に挿着して前記前カバーを前記後カバーに嵌合させるから、開閉両用型払拭体把持を嵌合により簡単に組み立てることができる。
【００３０】
本発明の第１１の形態によれば、前述した第1形態〜第１０形態のいずれかの開閉両用型払拭体把持具を用意し、前記開閉両用型払拭体把持具の前記把持部を払拭体の袋状部に挿入して前記開閉両用型払拭体把持具を前記払拭体に装着するだけで清掃用具を簡単に構成することができる。
【図面の簡単な説明】
【００３１】
【図１】図１は、本発明に係る開閉両用型払拭体把持具の第１実施形態の開状態の正面図である。
【図２】図２は、図１に示される第１実施形態の開閉両用型払拭体把持具の分解斜視図である。
【図３】図３は、本発明に係る開閉両用型払拭体把持具の第１実施形態の閉状態の正面図である。
【図４】図４は、本発明に係る閉状態の第１実施形態の開閉両用型払拭体把持具において、ハンドル部を約３０度だけ回動固定した状態の正面図である。
【図５】図５は、本発明に係る閉状態の第１実施形態の開閉両用型払拭体把持具において、ハンドル部を約９０度だけ回動固定した状態の正面図である。
【図６】図６は、本発明に係る第１実施形態の開閉両用型払拭体把持具において、ジョイント部を構成する前カバーとネジを含んだ状態の分解斜視図である。
【図７】図７は、本発明に係る開閉両用型払拭体把持具の第２実施形態において、ジョイント部を構成する前カバーとネジを含んだ状態の分解斜視図である。
【図８】図８は、本発明に係る開閉両用型払拭体把持具の第２実施形態において、開状態の正面図である。
【図９】図９は、図６の分解斜視図に従って組み立てられた第１実施形態の開閉両用型払拭体把持具において、ハンドル部に係止ファスナを卷回した開状態の正面図である。
【図１０】図１０は、本発明に係る開閉両用型払拭体把持具に使用される払拭体の断面図である。
【図１１】図１１は、本発明に係る開閉両用型払拭体把持具を図１０の払拭体に装着した閉状態の断面図である。
【図１２】図１２は、本発明に係る開閉両用型払拭体把持具を図１０の払拭体に装着した開状態の断面図である。
【図１３】図１３は、従来例である特開２０１１−２５０９８０号公報（特許文献１）に係る「払拭体挿入部回動式掃除具」の説明図である。
【図１４】図１４は、従来例である特開２００１−４６２９２号公報（特許文献２）に係る「モップ及び該モップに用いられるハンドル」の説明図である。
【発明を実施するための形態】
【００３２】
以下に、本発明に係る開閉両用型払拭体把持具及び清掃用具の実施形態を添付する図面に従って詳細に説明する。
【００３３】
図１は、本発明に係る開閉両用型払拭体把持具の第１実施形態の開状態の正面図であり、図２は、図１に示される第１実施形態の開閉両用型払拭体把持具の分解斜視図である。以下に主として分解斜視図を参照しながら説明する。
図２には、開閉両用型払拭体把持具１を構成するジョイント部２と左右２本の把持部１０、１０とハンドル部６０が配置されており、ジョイント部２の具体例として後カバー２０が図示されている。また、ハンドル部６０と左右の把持部１０、１０は一点鎖線で示すように後カバー２０と連結される。
【００３４】
左右一対の把持部１０は後述する払拭体９０を把持する部材で、先端が湾曲した保持部突部１１ａを有する保持部１１と、保持部１１の基端側には保持部根元部１１ｂと保持板端部１１ｃを残して高強度になるように厚手に作られた基部１２が形成されている。基部１２は、裾野を形成する基部裾部１２ａと基部底面１２ｂと基部周面１９と基部透孔１３から形成されている。基部底面１２ｂと基部周面１９の連接部には閉脚用凹部１４が形成され、閉脚用凹部１４から連続した基部周面１９には押接湾曲部１６と開脚用凹部１５が形成されている。基部周面１９の上側には湾曲部１７を介してロック面１８ａを有する開脚ロック用角部１８が形成されている。
【００３５】
後カバー２０は、頭カバー部２４とその左右下方に形成された一対の脇カバー部２１、２１が設けられ、全体として略三角状に形成されている。頭カバー部２４にはハンドル部受孔部２３ａを開孔したハンドル部受凸部２３が突設されており、左右の脇カバー部２１、２１の夫々には把持部受孔部２２ａを開孔した把持部受凸部２２、２２が突設されている。
【００３６】
左右の把持部受凸部２２、２２の中間位置には左右側面に台部端面２５ａ、２５ａを有した略直方体状の把持部用弾性体台部２５が突設されている。この把持部用弾性体台部２５の上には略メガネ環状の把持部用弾性体３０が載設されている。把持部用弾性体３０は空洞部３５を切欠いて内部を中空状にした略メガネ環状に形成され、左右端部に把持部受凸部２２、２２の向いて突出した弾性凸部３２、３２が形成されている。弾性凸部３２、３２の間の下壁は、突部３３、弾性凹部３４、突部３３が連続して形成され、同様に上壁は、突部３６、弾性凹部３７、突部３６が連続して形成されている。
左右の前記台部端面２５ａ、２５ａを設ける理由は、前述した把持部１０、１０を回動して垂下状態にしたときに、把持部１０、１０の基部底面１２ｂ、１２ｂが前記台部端面２５ａ、２５ａに当接して把持部１０、１０をそれ以上回動できないように規制する役目を有し、垂下状態を保持規制することができる。
左右の弾性凸部３２、３２は外部から内方向けの力を受けると、内方へ弾性変形する性質を有するが、力が解除されると元の位置に復帰する性質を有する。その理由は、把持部用弾性体３０が空洞部３５を有した略メガネ環状の環状体構造を有することによる。
【００３７】
把持部用弾性体台部２５に連接した上方位置には上方台部５０が突設され、この上方台部５０の下縁の両端から湾曲面５４、５４が形成されている。左右の湾曲面５４、５４に続いてロック面５３、５３が形成され、左右のロック面５３、５３を含む角受部５２、５２が形成されている。把持部用弾性体台部２５の上縁の両端には突出部５１、５１が外方を向いて突設され、左右の前記角受部５２、５２を前記ロック面５３、５３と共に構成している。また、把持部用弾性体台部２５の上縁は段差を有して上端面４６が形成されている。
【００３８】
前記把持部用弾性体台部２５の上面にはハンドル部用弾性体４０が載設され、このハンドル部用弾性体４０の内部には中空状の空洞部４２が切欠かれており、ハンドル部用弾性体４０を山状の環状体に形成している。また、ハンドル部用弾性体４０の左右には突部４５、４５が突設され、ハンドル部用弾性体４０の上辺の中央には上方を向いたハンドル部用弾性凸部４４が突設されている。
ハンドル部用弾性凸部４４は外部から内方向けの力を受けると、内方へ弾性変形する性質を有するが、力が解除されると元の位置に復帰する性質を有する。その理由は、ハンドル部用弾性体４０が空洞部４２を有した山状の環状体構造を有することによる。
【００３９】
左右の把持部１０、１０を後カバー２０に略水平状態に取着するには、それらの開脚用凹部１５、１５が弾性凸部３２、３２に合致するように、左右の基部透孔１３、１３に後カバー２０の左右の把持部受凸部２２、２２を内挿する。開脚用凹部１５、１５は凹状であるから、その凹部に弾性凸部３２、３２が強く嵌り込んで両者は固く係合し、強い回動力が閉鎖方向に作用しない限り略水平状態は保持される。また、更なる開方向への回動力が作用しても、左右の開脚ロック用角部１８、１８が上方台部５０の左右の角受部５２、５２に係合し、ロック面１８ａ、１８ａがロック面５３、５３に狭持状に当接し、物理的にそれ以上回動しないように規制され、略水平状態は安定して保持されることができる。
【００４０】
把持部１０、１０を略水平状態から略垂下状態に移行するには、把持部１０、１０を前述と逆方向の閉鎖方向（即ち、垂下方向）へ回動する。このとき、左右の開脚用凹部１５、１５は左右の把持部用弾性凸部３２、３２から外れ、押接湾曲部１６、１６が前記把持部用弾性凸部３２、３２を強く押圧しながら圧縮変形させ、次に閉脚用凹部１４、１４に前記把持部用弾性凸部３２、３２が内入して両者は強く係合し、把持部１０、１０は略垂下状態、即ち略閉鎖状態に形態保持される。しかも、更なる回動力が作用しても、左右の把持部１０、１０の基部底面１２ｂ、１２ｂが把持部用弾性体台部２５の左右の台部端面２５ａ、２５ａに当接し、それ以上に把持部１０、１０を閉鎖方向に回動できないように構成され、略垂下状態安定して保持されることができる。  
【００４１】
他方、ハンドル部６０は回動部６２とハンドル軸部６０ａが連続して構成されている。ハンドル軸部６０ａは管状であり、回動部６０は略直方体形状であるから、その連接部はテーパー状の傾斜肩部６１に形成されている。ハンドル軸部６０ａは、長尺や短尺のハンドル自体であってもよいし長尺や短尺のハンドルに接続されるハンドル受部であってもよい。回動部６０には回動部透孔６３が開孔されており、前述した後カバー２０のハンドル部受凸部２３が前記回動部透孔６３に回動自在に内挿されて、ハンドル部６０と後カバー２０とは連結される。
【００４２】
回動部６２の回動部周面６８には、ハンドル部６０を後カバー２０に対し直立状態に保持する直立凹部６４が形成され、同時に左右にハンドル部６０を後カバー２０に対し水平状態に保持する水平傾斜凹部６７、６７が形成されている。また、直立凹部６４と水平傾斜凹部６７の間の左右には第１傾斜凹部６５、６５と第２傾斜凹部６６、６６が形成され、これらの直立凹部６４、第１傾斜凹部６５、第２傾斜凹部６６及び水平傾斜凹部６７を纏めて回動部周面凹部６８ａと称する。従って、回動部周面６８には直立凹部６４を中心として左右対称的に回動部周面凹部６８ａ、６８ａが形成されることになる。
【００４３】
ハンドル部６０を直立状態に保持したときには、直立凹部６４がハンドル部用弾性体４０のハンドル部用弾性凸部４４と係合し、凸部と凹部の係合力によりハンドル部６０の直立状態が保持される。ハンドル部６０を左右に回動すると、直立凹部６７と第１傾斜凹部６４の間の山部がハンドル部用弾性凸部４４を圧縮変形させ、回動がその山部を超えると、第１傾斜凹部６５がハンドル部用弾性凸部４４と係合してハンドル部は略３０度だけ傾斜した状態に保持される。同様に、ハンドル部６０を更に回動させると、第２傾斜凹部６６がハンドル部用弾性凸部４４と係合してハンドル部は略６０度だけ傾斜した状態に保持される。更なる回動により、水平傾斜凹部６７がハンドル部用弾性凸部４４と係合してハンドル部は略９０度だけ傾斜した状態に保持される。これ以上にハンドル部６０を回動させようとすると、回動部６２の回動部側面６９が上方台部５０の上端面４６に当接し、ハンドル部６０のそれ以上の回動が阻止され、ハンドル部６０は略水平状態に保持されることになる。
【００４４】
前述したように、図１は本発明に係る開閉両用型払拭体把持具１の第１実施形態の開状態（即ち、略水平状態）の正面図である。即ち、図２の組立斜視図に従って、略水平状態の把持部１０、１０をハンドル部６０と共にジョイント部２（茲では、後カバー２０のこと）に連結して開閉両用型払拭体把持具１を構成し、この開閉両用型払拭体把持具１を正面から見たときの正面図が図１に示されている。
【００４５】
図１では、左右の把持部１０、１０が開状態、即ち略水平状態に配置されている。この略水平状態の保持は、把持部用弾性体３０の左右の弾性凸部３２、３２が把持部１０、１０の開脚用凹部１５、１５に凹凸係合して発現する凹凸係合力により付与されている。把持部用弾性体３０は矢印Ａ方向に圧縮・復帰する弾性変形が可能である。従って、矢印Ｃ方向に把持部１０、１０を回動させたときに、弾性凸部３２、３２が復帰して開脚用凹部１５、１５に係合すると、強力な係合力が生じて把持部１０、１０が開脚した略水平状態が保持固定される。
また、左右の開脚ロック用角部１８、１８が左右の角受部５２、５２に係合すると、把持部１０、１０を更に矢印Ｃ方向に開脚させようとしても、左右のロック面１８ａ、１８ａが左右のロック面５３、５３に当接してそれ以上には開方向に回動できないように構成され、前記略水平状態が安定して保持される。
また、ハンドル部６０の直立状態の保持は、ハンドル部用弾性体４０のハンドル部用弾性凸部４４が直立凹部６４に凹凸係合して発現する凹凸係合力により付与されている。ハンドル部用弾性凸部４４は矢印Ｂ方向に圧縮・復帰する弾性変形が可能であり、圧縮されたハンドル部用弾性凸部４４がハンドル部６０の直立凹部６４に嵌合されて弾性復帰すると、ハンドル部用弾性凸部４４が強力に直立凹部６４に凹凸係合し、この凹凸係合力によりハンドル部６０は略直立状態に保持される。
【００４６】
図３は、本発明に係る開閉両用型払拭体把持具の第１実施形態の閉状態の正面図である。図１に示される略水平状態（開状態）から図３に示される略垂下状態（閉状態）に移行するには、左右の把持具１０、１０を矢印Ｅ方向（閉方向又は閉鎖方向）に回動する。途中、左右の押接湾曲部１６、１６が把持部用弾性体３０の左右の弾性凸部３２、３２を内方へ押圧し、その後左右の弾性凸部３２、３２が左右の閉脚用凹部１４、１４に嵌合して凹凸係合し、その凹凸係合力により左右の把持部１０、１０は略垂下状態（閉状態）に保持される。この閉状態から更に把持部１０、１０を矢印Ｅ方向に回動しても、左右の基部底面１２ｂ、１２ｂが把持部用弾性体台部２５の左右の台部端面２５ａ、２５ａに狭持状態で当接し、それ以上の回動を阻止し、前記略垂下状態が安定して保持されることになる。次に、ハンドル部６０を矢印Ｄ方向に回動してハンドルを傾斜保持させる場合に進む。
【００４７】
図４は、本発明に係る閉状態の第１実施形態の開閉両用型払拭体把持具において、ハンドル部を約３０度だけ回動固定した状態の正面図である。図３において、ハンドル部６０を矢印Ｄ方向に回動させると、ハンドル部用弾性体凸部４４はハンドル部６０の直立凹部６４から外れる。そして、回動するに従って、ハンドル部用弾性体凸部４４は直立凹部６４の直ぐ横に配置された第１傾斜凹部６５に嵌合して両者は凹凸係合する。この第１傾斜凹部６５との凹凸係合状態が約３０度傾斜の図４に示されている。
更に、ハンドル部６０を矢印Ｄ方向に回動させると、ハンドル部用弾性体凸部４４は第１傾斜凹部６５から外れ、第１傾斜凹部６５の直ぐ横に配置された第２傾斜凹部６６に嵌合して両者は凹凸係合する。この第２傾斜凹部６６との凹凸係合状態が約６０度傾斜であるが、図示はされていない。
【００４８】
図５は、本発明に係る閉状態の第１実施形態の開閉両用型払拭体把持具において、ハンドル部を約９０度だけ回動固定した状態の正面図である。図４の約３０度傾斜状態からハンドル部６０を更に矢印Ｄ方向に２段階回動させると、ハンドル部用弾性体凸部４４はハンドル部６０の第２傾斜凹部６６からも外れる。そして、回動するに従って、ハンドル部６０を約９０度回動させた略水平状態まで回動させると、ハンドル部用弾性体凸部４４は水平傾斜凹部６７に嵌合して両者は凹凸係合する。この水平傾斜凹部６７との凹凸係合状態が約９０度傾斜した図５に示される。
【００４９】
以上のように、ハンドル部６０を直立配置、約３０度傾斜配置、約６０度傾斜配置又は約９０度傾斜配置できると、把持部１０、１０にモップ等の払拭体９０を装着して掃除するときに、テーブルや机の下及び隅、タンスとタンスの隙間などの掃除を多様に行うことが可能になる。しかも、このようなハンドル部６０の多段配置と、把持部１０、１０の略水平配置や略垂下配置との組合せはより一層に多くなり、多彩な掃除形態に多様性を導入することができる。
【００５０】
図６は、本発明に係る開閉両用型払拭体把持具の第１実施形態において、ジョイント部を構成する前カバーとネジを含んだ状態の分解斜視図である。図２の分解斜視図に前カバー８０とネジ７１、７２、７３を加えることによって図６の分解斜視図が構成されている。具体的には、開閉両用型払拭体把持具１を構成するジョイント部２と左右２本の把持部１０、１０とハンドル部６０が配置されており、ジョイント部２は後カバー２０と前カバー８０により構成されている。また、これらの各部材は一点鎖線で示すように連結される。特に、図６の説明において、図２に記載された部材の説明は作用効果が同一であるから省略し、それ以外の部材について説明する。
【００５１】
前カバー８０は、前述した後カバー２０と組み合されてジョイント部２を構成する。前カバー８０は、頭カバー部８４とその左右下方に脇カバー部８１、８１を設けて略三角状に構成されている。頭カバー部８４にはハンドル部受孔部８３ａを開孔したハンドル部受凸部８３が突設され、同様に左右の脇カバー部８１、８１には把持部受孔部８２ａを開孔した把持部受凸部８２が突設されている。また、前カバー８０の中央にはハンドル部用弾性体挿入部８６を穿設した上方台部押え部８５が突設され、同様に、脇カバー部８２、８２の中間下方には把持部用弾性体台部押え部８７が突設されている。
また、ハンドル部６０には係止ファスナ７０が卷回されている。同時に、後カバー２０にはネジ７１、７２及び７３が配置されている。
【００５２】
ハンドル部６０、後カバー２０、把持部１０、１０及び前カバー８０は、ネジ７１、７２及び７３により一点鎖線で示されるように螺合で一体化される。つまり、把持部１０，１０の基部透孔１３、１３の夫々は、後カバー２０の把持部受凸部２２、２２と前カバー８０の把持部受凸部８２、８２を挿通し突き合わせて一体化され、ネジ７２、７３により夫々相互に螺着して結合される。同時に、ハンドル部６０の回動部透孔６３は、後カバー２０のハンドル部受凸部２３と前カバー８０のハンドル部受凸部８３を挿通し突き合わせて一体化され、ネジ７１により螺着して結合される。この様に、開閉両用型払拭体把持具１は組み立てられている。
【００５３】
図７は、本発明に係る開閉両用型払拭体把持具の第２実施形態であり、ジョイント部を構成する前カバーとネジを含んだ状態の分解斜視図である。第２実施形態を示す図７は第１実施形態を示す図６と次の点において相違している。第２実施形態では、上方台部５０の上にハンドル部用弾性体４０が載設されておらず、同時にハンドル部６０において回動部６２の回動部周面６８には回動部周面凹部６８ａが全く形成されておらず、回動部周面６８は凹凸の無い湾曲面に形成されている。従って、ハンドル部６０をハンドル部受凸部２３の周りに左右に回動させても、特定の傾斜位置で傾斜状態をロックすることはできず、ハンドル部６０は左右に最大で自由に約９０度まで、即ち略水平状態まで自由回動できるだけである。
【００５４】
また、前カバー８０において、上方台部押え部８５にはハンドル部用弾性体挿入部８６は形成されておらず、上方台部押え部８５の表面は平坦面に形成されている。従って、後カバー２０と前カバー８０を嵌合すると、上方台部５０と上方台部押え部８５は当接するか、又は微小間隔を空けて対向することになる。
以上で説明した以外の図７の部材は、全て図６及び図１（第１実施形態）に存在し、それらは図６と同一の作用効果を有するから、茲ではその詳細は省略する。
【００５５】
図８は、本発明に係る開閉両用型払拭体把持具の第２実施形態において、開状態の正面図である。第２実施形態を示す図８が第１実施形態を示す図１と異なる点だけを以下に説明する。
第２実施形態では、ハンドル部用弾性体４０が上方台部５０の上に載設されておらず、しかも回動部周面凹部６８ａはハンドル部６０の回動部周面６８に全く形成されておらず、回動部周面６８は凹凸の無い湾曲面に形成されている。従って、ハンドル部６０をハンドル部受凸部２３の周りに左右に回動させても、特定の傾斜位置で傾斜状態をロックすることはできない。換言すると、ハンドル部６０は左右に最大で約９０度まで、即ち略水平状態まで自由回動できるだけであり、ハンドル部６０を特定の傾斜状態でロックすることは全くできない。
以上で説明した以外の図８の部材は、全て図１（第１実施形態）に存在し、それらは図８と同一の作用効果を有するから、茲ではその詳細は省略する。
【００５６】
図９は、図６の分解斜視図に従って組み立てられた開閉両用型払拭体把持具において、ハンドル部に係止ファスナを卷回した開状態の正面図である。
図７は図１と実質的に同一であるから、図１と異なる点だけを以下に説明する。まず、前カバー８０が後カバー２０と一体化されているから、正面図では前カバー８０によりジョイント部２の内部構造が隠れてしまっている。また、ハンドル部６０には係止ファスナ７０が卷回されており、この係止ファスナ７０は後述する払拭体９０を装着した際に払拭体９０との結合機能を奏する。
【００５７】
図１０は、本発明に係る開閉両用型払拭体把持具に使用される払拭体の断面図である。この払拭体９０は二股状の構造を有し、本発明の開閉両用型払拭体把持具１を挿入するための挿込部９１と、その先に左右の把持部１０、１０を挿入するための２本の袋状部９２、９２から構成されている。また、一般的に払拭体９０は基布にパイルを植設して構成されるが、この払拭体９０の基布９３は、挿込部９１を形成する挿込部用基布９４と、２本の袋状部９２、９２を形成する２本の袋状基布９５、９５からなる。２本の袋状基布９５、９５は股部９５ａで左右に繋がっている。前記挿込部用基布９４と前記袋状基布９５、９５の外表面を覆うようにパイル９６が植設されている。
【００５８】
前記挿込部用基布９４の入口に当たる基布入口部９７の内面には、係止ファスナ９８が取着されている。係止ファスナ９８はファスナ基布９８ａの表面に多数の係止突片９８ｂが植設されており、多数の係止突片９８ｂが基布入口部９７の内方に向いて露出するように配置されている。係止ファスナ９８で取り囲まれた空間は開口部９９であり、この開口部９９から本発明の開閉両用型払拭体把持具１を挿入する。
【００５９】
図１１は、本発明に係る開閉両用型払拭体把持具を図１０の払拭体に装着した清掃用具の閉状態の断面図である。開閉両用型払拭体把持具１を払拭体９０に装着するには、まず払拭体９０の左右の袋状部９２、９２を真直ぐ平行に揃えた閉状態に配置する。開閉両用型払拭体把持具１を閉状態（即ち、略垂下状態）にしておき、左右の把持部１０、１０を開口部９９から挿込部９１の内部に挿入し、左右の把持部１０、１０の夫々を左右の袋状部９２、９２の夫々に挿入する。その後、開閉両用型払拭体把持具１の係止ファスナ７０と払拭体９０の係止ファスナ９８とを係合させる。この係合により、開閉両用型払拭体把持具１と払拭体９０とは一体化して清掃用具３が完成する。清掃用具３の左右の把持部１０、１０は閉状態を保持しているから、この閉状態で必要な箇所を清掃することができる。
【００６０】
図１２は、本発明に係る開閉両用型払拭体把持具を払拭体に装着した清掃用具の開状態の断面図である。この開状態を実現するには２段階の操作が必要である。まず、第１段階では、閉状態の開閉両用型払拭体把持具１を閉状態の払拭体９０に装着して図１１に図示されるような清掃用具３の閉状態を実現する。次に、第２段階では、図１１の状態のまま把持部１０、１０を回動して略水平状態でロックすると、図１２に示される清掃用具３の略水平状態が実現する。この開状態で必要な箇所を清掃することができる。
【００６１】
勿論、図１１の閉状態や図１２の開状態において、上述したように、ハンドル部６０を直立状態、約３０度傾斜状態、約６０度傾斜状態、水平傾斜状態などの種々の状態に設定することは必要に応じて可能であることは云うまでもない。
【００６２】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００６３】
本発明に係る開閉両用型払拭体把持具及び清掃用具は、家庭や事業所の床、店舗の床、壁、物の表面などを清掃するときに用いられ、売り切り商品にするだけでなく、レンタル商品として定期的に取り替えてユーザーに提供することもできる。
【符号の説明】
【００６４】
１          開閉両用型払拭体把持具
２          ジョイント部
３          清掃用具
１０        把持部
１１        保持部
１１ａ      保持部突部
１１ｂ      保持部根元部
１１ｃ      保持部端部
１２        基部
１２ａ      基部裾部
１２ｂ      基部底面
１３        基部透孔
１４        閉脚用凹部
１５        開脚用凹部
１６        押接湾曲部
１７        湾曲部
１８        開脚ロック用角部
１８ａ      ロック面
１９        基部周面
２０        後カバー
２１        脇カバー部
２２        把持部受凸部
２２ａ      把持部受孔部
２３        ハンドル部受凸部
２３ａ      ハンドル部受孔部
２４        頭カバー部
２５        把持部用弾性体台部
２５ａ      台部端面
３０        把持部用弾性体
３２        弾性凸部
３３        突部
３４        弾性凹部
３５        空洞部
３６        突部
３７        弾性凹部
４０        ハンドル部用弾性体
４２        空洞部
４４        弾性凸部
４５        突部
４６        上端面
５０        上方台部
５１        突出部
５２        角受部
５３        ロック面
５４        湾曲面
５７        台部上面
６０        ハンドル部
６０ａ      ハンドル軸部
６１        傾斜肩部
６２        回動部
６３        回動部透孔
６４        直立凹部
６５        第１傾斜凹部
６６        第２傾斜凹部
６７        水平傾斜凹部
６８        回動部周面
６８ａ      回動部周面凹部
６９        回動部側面
７０        係止ファスナ
７１        ネジ
７２        ネジ
７３        ネジ
８０        前カバー
８１        脇カバー部
８２        把持部受凸部
８２ａ      把持部受孔部
８３        ハンドル部受凸部
８３ａ      ハンドル部受孔部
８４        頭カバー部
８５        上方台部押え部
８６        ハンドル部用弾性体挿入部
８７        把持部用弾性体台部押え部
９０        払拭体
９１        挿込部
９２        袋状部
９３        基布
９４        挿込部用基布
９５        袋状基布
９５ａ      股部
９６        パイル
９７        基布入口部
９８        係止ファスナ
９８ａ      ファスナ基布
９８ｂ      係止突片
９９        開口部
１０９      揺動軸部
１１２      中空体
１１３      中空体
１１４      連結端
１１５      連結端
１１６      保持部
１１７      保持部
１１８      ロックボタン
１１９      回動軸穴
１２０      連結部材
１２１      パイプ挿入部
１５２      雌ねじ部
１５４      軸受部
２０１      ハンドル
２０２      装着部
２０２ａ    装着片
２０３      保持部
２０３ａ    袋部
２０４      ひも状態
２０５      塵芥吸着部
２０５ａ    端部
２０５ｂ    端部
２０６      外周縁
２１４      貫通溝
Ａ          モップ
Ｌａ        矢印
Ｌｂ        矢印
【図１】
2015066360.tif 000003
【図２】
2015066360.tif 000004
【図３】
2015066360.tif 000005
【図４】
2015066360.tif 000006
【図５】
2015066360.tif 000007
【図６】
2015066360.tif 000008
【図７】
2015066360.tif 000009
【図８】
2015066360.tif 000010
【図９】
2015066360.tif 000011
【図１０】
2015066360.tif 000012
【図１１】
2015066360.tif 000013
【図１２】
2015066360.tif 000014
【図１３】
2015066360.tif 000015
【図１４】
2015066360.tif 000016